(57)【要約】【課題】  電気部品を使うことなく安価で簡単な機構を持ち、記録紙が搬送ユニットと給紙トレイとの間で紙詰まりとなったとき給紙トレイの引き出しを禁止することができる給紙装置及びこれを備えた画像形成装置を提供する。【解決手段】  搬送ローラ１４７の上方には回転軸１５２が配置され、回転軸１５２には記録紙Ｐの通過を検出する記録紙検出手段であるジャム検知フィラー１４９と、引出禁止手段であるトレイロック機構１６０のトレイロックキー１６１とが突出形成されている。ジャム検知フィラーに記録用紙が当接したとき、トレイロック機構１６０が回転して給紙トレイ１４０の引き出しを禁止する。【選択図】  図４
2005178942.tif 000002
【特許請求の範囲】
【請求項１】
給紙装置本体部分に対して引出し及び差し込み可能で、画像形成のための記録紙を入れる給紙容器を備えた給紙装置において、
給紙容器から給紙装置本体へと至る記録紙搬送路中に配置され、記録紙の接触により駆動されることにより記録紙を検出する記録紙検出手段と、
該記録紙検出手段が記録紙を検出したとき、前記記録紙検知手段の動きにより駆動され、前記給紙容器の引出しを禁止する引出禁止手段を備えたことを特徴とする給紙装置。
【請求項２】
請求項１に記載の給紙装置において、
手段前記記録紙検出手段の作動により前記引出禁止手段が直接駆動されること特徴とする画像形成装置。
【請求項３】
請求項１または請求項２の給紙装置において、
前記記録紙検出手段と前記引出禁止手段とは１本の回転軸から突出形成され、同時に回動することを特徴とする給紙装置。
【請求項４】
請求項１ないし請求項３のいずれかの給紙装置において、
前記記録紙検出手段は、機械的駆動により前記引出禁止手段を駆動させることを特徴とする給紙装置。
【請求項５】
請求項１ないし請求項４のいずれかの給紙装置は、
前記引出禁止手段は前記記録紙検出手段以外の駆動手段で動作可能としたことを特徴とする給紙装置。
【請求項６】
請求項１ないし請求項５に記載の給紙装置において、
前記記録紙検出手段は、記録紙の移動線に垂直な記録紙幅方向の中心位置に配置されていることを特徴とする給紙装置。
【請求項７】
請求項１ないし請求項５のいずれかの給紙装置において、
前記記録紙検出手段と、前記引出禁止手段が記録紙移動方向の記録紙中心線に対して対称に配置されていることを特徴とする給紙装置。
【請求項８】
請求項１ないし請求項７のいずれかの給紙装置において、
前記引出禁止手段が、給紙装置本体から着脱可能としていることを特徴とする給紙装置。
【請求項９】
請求項１ないし請求項８のいずれかの給紙装置において、
前記引出禁止手段が、前記給紙容器を給紙装置本体に拘束する構成であることを特徴とする。
【請求項１０】
請求項１ないし請求項８の給紙装置において、
前記引出禁止手段が、給紙容器の引出し規制部材を拘束する構成であることを特徴とする給紙装置。
【請求項１１】
請求項１ないし請求項１０のいずれかの給紙装置は、前記給紙容器が該画像形成装置本体から引出し可能か、引出不可能化を表示する表示部を備えたことを特徴とする給紙装置。
【請求項１２】
請求項１ないし請求項１０に記載の給紙装置において、
該給紙装置が取り付けられた装置の操作部に前記給紙容器が該画像形成装置本体から引出し可能か、引出不可能化を表示する表示部を備えたことを特徴とする画像形成装置。
【請求項１３】
請求項１ないし請求項１２のいずれかの給紙装置を備えた画像形成装置。
【発明の詳細な説明】
【技術分野】
【０００１】
本発明は、給紙装置及びこれを備えた画像形成装置に関し、特に給紙装置本体部分に対して引出し及び差し込み可能で、画像形成のための記録紙を入れる給紙容器及びこれを備えた画像形成装置に関する。
【背景技術】
【０００２】
近年、複写機、プリンタ、ＦＡＸ等の画像形成装置の作像部に記録紙を自動給紙するために、図１８に示すような画像形成装置２００の本体下側に複数の給紙トレイ２０１，２０２，２０３，２０４を備えた給紙装置２１０を備えたものがある。このような画像形成装置１００にあっては、給紙トレイ２０１，２０２，２０３，２０４がそれぞれ画像形成装置１００本体に対して手前方向に引出し可能に構成されているフロントローディングタイプが主流となっている。
【０００３】
一方、該画像形成装置２００本体内の給紙装置２１０において紙詰まり（ジャム）が発生したときは、図１９，図２０，図２１に示すように、本体側面カバーを開いて紙詰まりとなっている記録紙を取り除くようにしているものが多い。なお、図１９に示した画像形成装置２００は、図１８に示した画像形成装置１００にソータ等の後処理装置２５０を付加したものであり、給紙装置２１０の構造は、図１８に示した給紙装置１１０と同一のものを使用しており上側給紙トレイ２０１，２０２、及び下側給紙トレイ２０３，２０４を備えている。
【０００４】
図１９に示す画像形成装置２００において、上側給紙トレイ２１１，２１２のいずれかにジャムが発生したときには、この例では上側給紙トレイ２０１にジャムが発生した場合には、警告が表示されるから、その表示に従って、まず図２０（Ａ）に示すように、給紙装置２１０側面に設けられた上側の前カバー２０２を開き、図２０（Ｂ）に示すように、詰まっている記録紙Ｐを取り除く。これで記録紙Ｐを取り除けないとき、すなわち給紙装置２１０の搬送ユニットと上側給紙トレイ２０１との間に記録紙Ｐが詰まっている場合には、図２０（Ｃ）に示すように給紙トレイ２０１を引き出して、記録紙Ｐを取り除くようにしている。
【０００５】
同様に、下側給紙トレイ２０３，２０４にジャムが発生したときには、まず図２１（Ａ）に示すように、給紙装置２１０側面に設けられた下側の前カバー２１２を開き、図２１（Ｂ）に示すように、記録紙Ｐを取り除く。これで記録紙Ｐを取り除けないとき、すなわち給紙装置２１０の搬送ユニットと給紙トレイ２０１，２０２には、図２１（Ｃ）に示すように下側給紙トレイ２０３，２０４を引き出して、記録紙Ｐを取り除くようにしている。
【０００６】
しかしながら、搬送される記録紙が搬送ユニットと給紙トレイとの間で紙詰まりとなったとき、不用意に給紙トレイを引き出すと、紙詰まりとなっている記録紙が給紙トレイを引き出す過程で折れ曲がったり破れたりして、記録紙が本体給紙搬送ユニット又は給紙トレイ側のいずれかに詰まったりして、これを取り除くには大変な手間を要することになる。もし除去しきれずに紙が詰まっていると続いて搬送される記録紙がまたジャムとなってしまう。
このような問題点を解決した例として給紙トレイと給紙装置本体とをソレノイドによって連結・解除する機構を設け、画像形成部が作動中には給紙トレイを給紙装置本体にロックし、使用者が給紙トレイを引き出せないようにした技術がある（特許文献１及び特許文献２参照）。
【特許文献１】特開平５−７７９３８
【特許文献２】特開平６−１３５５９５
【発明の開示】
【発明が解決しようとする課題】
【０００７】
しかしながら、特許文献１及び特許文献２に記載されたように給紙装置にソレノイドを使用すると、新たに電源装置、制御回路等が必要となり、部品点数およびコストが増加してしまうという問題点がある。
【０００８】
本発明は以上の問題点を解決すべく、安価で簡単な機構を持ち、記録紙が搬送ユニットと給紙トレイとの間で紙詰まりとなったとき給紙トレイの引き出しを禁止することができる給紙装置及びこれを備えた画像形成装置を提供する。
【課題を解決するための手段】
【０００９】
本発明の解決しようとする課題は以上の如くであり、次にこの課題を解決するための手段を説明する。
【００１０】
請求項１に記載の本発明は、給紙装置本体部分に対して引出し及び差し込み可能で、画像形成のための記録紙を入れる給紙容器を備えた給紙装置において、給紙容器から本体へと至る記録紙搬送路中に配置され、記録紙の接触により駆動されることにより記録紙を検出する記録紙検出手段と、該記録紙検出手段が記録紙を検出したとき、前記給紙容器の引出しを禁止する引出禁止手段を備えたことを特徴とする。
【００１１】
請求項２に記載の本発明は、請求項１に記載の給紙装置において、手段前記記録紙検出手段の作動により前記引出禁止手段が直接駆動されること特徴とする。
【００１２】
請求項３に記載の本発明は、請求項１または請求項２の給紙装置において、前記記録紙検出手段と前記引出禁止手段とは１本の回転軸回りに突出形成され、同期して回動することを特徴とする。
【００１３】
請求項４に記載の本発明は、請求項１ないし請求項３のいずれかの給紙装置において、前記記録紙検出手段は、機械的駆動により前記引出禁止手段を駆動させることを特徴とする。
【００１４】
請求項５に記載の本発明は、請求項１ないし請求項４のいずれかの給紙装置において、前記引出禁止手段は前記記録紙検出手段以外の駆動手段で動作可能としたことを特徴とする。
【００１５】
請求項６に記載の本発明は、請求項１ないし請求項５に記載の給紙装置において、前記記録紙検出手段は、記録紙の移動線に垂直な記録紙幅方向の中心位置に配置されていることを特徴とする。
【００１６】
請求項７に記載の本発明は、請求項１ないし請求項５のいずれかの給紙装置において、前記記録紙検出手段と、前記引出禁止手段が記録紙移動方向の記録紙中心線に対して対称に配置されていることを特徴とする。
【００１７】
請求項８に記載の本発明は、請求項１ないし請求項７のいずれかの給紙装置において、前記引出禁止手段が、給紙装置本体から着脱可能としていることを特徴とする。
【００１８】
請求項９に記載の本発明は、請求項１ないし請求項８のいずれかの給紙装置において、
前記引出禁止手段が、前記給紙容器を給紙装置本体に拘束する構成であることを特徴とする。
【００１９】
請求項１０に記載の本発明は、請求項１ないし請求項８の給紙装置において、前記引出禁止手段が、給紙容器の引出し規制部材を拘束する構成であることを特徴とする。
【００２０】
請求項１１に記載の本発明は、請求項１ないし請求項１０のいずれかの給紙装置において、前記給紙容器が該画像形成装置本体から引出し可能か、引出不可能化を表示する表示部を備えたことを特徴とする。
【００２１】
請求項１２に記載の本発明は、請求項１ないし請求項１１に記載の給紙装置において、該給紙装置が取り付けられた装置の操作部に前記給紙容器が該画像形成装置本体から引出し可能か、引出不可能化を表示する表示部を備えたことを特徴とする。
【００２２】
請求項１３に記載の本発明は、請求項１ないし請求項１２のいずれかの給紙装置を備えた画像形成装置である。
【発明の効果】
【００２３】
本発明によれば、ソレノイドやソレノイド駆動用の電源装置及び制御装置を使用することなく、安価に記録紙搬送中に使用者が誤って給紙トレイを引き出すのを禁止することができ、給紙トレイと給紙装置本体の間での記録紙損傷や、記録紙の給紙装置からの外れを防止することができる。
【発明を実施するための最良の形態】
【００２４】
以下本発明の実施の形態を図面に基づいて説明する。
図１は、本発明の実施の形態に係る給紙装置が使用される画像形成装置１００の全体構成を示す図、図２は本発明の実施の形態に係る給紙装置の全体構想を示す図、図３はジャム検知フィラーを示す図、図４はジャム検知フィラーと給紙トレイロック機構の動作を示す図、図５は給紙トレイロック機構のキー部の詳細図、図６は給紙トレイロック機構のキー部を示す図５中Ｄ−Ｄ線に相当する断面図、図７はジャム検知フィラーの位置を示す図である。
【００２５】
本例では画像形成装置は電子写真方式の複写機・印刷機であるとして説明する。この画像形成装置１００は画像作像部１２１を有した画像形成装置本体１２０と、本体下部にフロントローディング型の給紙トレイ１３１，１３２，１３３，１３４を備えた給紙装置１３０を備えている。そして、給紙トレイ１３１，１３２，１３３，１３４内に積載された記録紙Ｐは給紙装置１３０によって分離、搬送され、レジストローラ１４１により感光体ドラム１２２表面の転写位置に搬送される。なお、電子写真方式の画像形成装置本体１２０の画像作像部１２１の構成およびその動作は周知であり、その詳細な説明は省略する。
【００２６】
本例では、給紙装置１３０は、図２に示すように給紙トレイ１３１，１３２，１３３，１３４および給紙装置２１０の一部分の例を示す。給紙トレイ１４０（給紙トレイ１３１，１３２，１３３，１３４のうちいずれかの給紙トレイ）に格納された記録紙Ｐは、レジストローラ１４１、給紙コロ１４２，１４３よって分離・搬送されて、上下ガイド板１４４，１４５によって反転されつつ給紙コロ１４２，１４３の上方に位置する搬送ローラ１４６，１４７まで搬送される。また、本体側面カバー１５０は軸１５１を支点として回動して外方に開き、使用者によるジャム処理を可能としている。
【００２７】
本例では、搬送ローラ１４７の上方には回転軸１５２が配置され、この回転軸１５２には記録紙Ｐの通過を検出する記録紙検出手段であるジャム検知フィラー１４９と、引出禁止手段であるトレイロック機構１６０のトレイロックキー１６１とが突出形成されている。この例ではジャム検知フィラー１４９は記録用紙移動方向の紙幅の中央部に、また、トレイロック機構１６０は、本体側面カバー１５０側に設けられている。
【００２８】
ここで、給紙トレイ１４０には、図５、図６及び図７に示すように、前記トレイロックキー１６１が入出する溝部１７０が形成されたロック部材１７１を備えたトレイロック機構１６０を構成しており、トレイロックキー１６１が溝部１７０に入り込んだ状態になると、矢印Ｂ方向の移動は禁止され、給紙トレイ１４０を給紙装置１３０から抜き出すことができなくなる。
【００２９】
本例では、図４に示すようにジャム検知フィラー１４９とトレイロックキー１６１とはそれぞれ、ａ１−ａ２、ｂ１−ｂ２、ｃ１−ｃ２の位置に同期して回転する。すなわち、記録紙Ｐが搬送されると、ジャム検知フィラーはａ１→ｂ１→ｃ１のように回動する。それと同期してトレイロックキー１６１はａ２→ｂ２→ｃ２のように回動する。
【００３０】
ここで、ａ１（ａ２）のときは記録紙Ｐがジャム検知フィラー１４９および搬送ローラ１４６，１４７に達していない状態である。また、ｂ１（ｂ２）およびｃ１（ｃ２）のときは記録紙Ｐがジャム検知フィラー１４９および搬送ローラ１４６，１４７に達している状態である。
【００３１】
ジャム検知フィラー１４９とトレイロックキー１６１とが図４中のｃ１，ｃ２の状態となったとき、図５に示すように、給紙トレイ１４０の溝部１７０にトレイロックキー１６１が差し込まれることにより、図中矢印Ａ方向（給紙トレイの抜き出し方向）に給紙トレイ１４０が移動できない状態となる。すなわち、使用者が給紙トレイ１４０を引き抜くことを禁止している状態となる。
【００３２】
本例では、ジャム検知フィラー１４９は記録紙Ｐの移動方向軸に対して対象に配置されているから、記録紙Ｐがジャム検知フィラー１４９に接触して回動させるときに発生する抵抗は回転軸１５２方向に対称となり、記録紙が傾斜することを防止できる。
【００３３】
もし、装置のレイアウト上の問題で、ジャム検知フィラー１４９を一方にしか使用できない場合は、図８に示すように、回転軸１５２にジャム検知フィラー１４９を一個所に取り付けるようにしても良い。このとき、記録紙Ｐのジャムの状態を電気的に検出する検出手段として回転軸１５２に反射型センサ１７２等をジャム検知フィラー１４９と異なる位置に取り付け、トレイロックキー１６１を回動させるジャム検知フィラー１４９を回転軸１５２上に１つだけ設けることもできる。
【００３４】
また、図９に示すように紙センター位置の対称位置にと同形状、同質量の２つのジャム検知フィラー１４９を設けることができる。このジャム検知フィラー１４９はジャム検知手段を備えていなく、トレイロックキー１６１を回動させるためのみ作動する。これにより、記録紙Ｐがジャム検知フィラー１４９を回動させるときに発生する抵抗は回転軸１５２方向に対称となり、記録紙Ｐが傾斜することを防止できる。
次に、トレイロック機構のトレイロックキー１６１がジャム検知フィラー１４９と着脱可能となっている実施例を示す。これは、図１０に示すように、ジャム検知フィラー１４９を支持する回転軸１５３とトレイロックキー１６１を支持する回転軸１５３とが平行ピン１７５によって着脱可能となっている。この例では、前記実施例における給紙トレイロック機構の性能を満足させるだけでなく、トレイロックキー１６１が損傷したときはトレイロックキー１６１のみの取替えを簡単に行える構造となっている。なお、２本の回転軸１５３，１５４を接続する手段として、本例の平行ピンのほか、ねじ止め、ユニバーサルジョイントなどを用いても良い。
【００３５】
次に、給紙トレイがロックされていることを使用者に表示する例を説明する。これは、図１１に示すよう、に給紙トレイ１４０に表示窓１５５を設け、トレイロックキー１６１が給紙トレイ１４０をロックしているとき（図１１（Ａ）はキー側面に印字された”ＬＯＣＫ”が窓部に表示するものである。これにより、使用者に給紙トレイ１４０が引き抜けない状態であることを示している。
【００３６】
一方トレイロックキー１６１が給紙トレイ１４０をロックしていないとき（図１１（Ｂ））は給紙トレイ１４０の表示窓１４６に印字された”ＦＲＥＥ”が表示され、使用者に給紙トレイ１４０を引き抜くことができることを知らせることができる。その他にもロック状態を示すのにキーに色を付けて表示窓から表示させることもできる。
【００３７】
給紙トレイのロック・フリー状態の使用者喚起の方法として、画像形成装置本体の操作部に表示する実施例を以下に説明する。本例は、図１２に示すように、給紙トレイ１４０内側にスイッチ１８０を設け、トレイロックキー１６１がこのスイッチ１８０をＯＮ・ＯＦＦさせる手段となり、この信号が図示しない本体制御回路を通して、本体操作部に給紙トレイのロック・フリー状態を表示できるものである。具体的には図１３に示すように操作部に表示手段としてＬＥＤ１８１を設けるか、既存の表示用ＬＣＤ１８２に警告画面１８９を表示することができる。なお、ＯＮ・ＯＦＦの手段として本実施例に示したスイッチのほかに反射型センサ、透過型センサーを用いてもよい。
【００３８】
次に、前述した例とは異なり、給紙トレイ１４０のハンドル部１５８をロックする構成を備えた実施例を示す。
【００３９】
従来、画像形成装置本体が前側に傾いたときに給紙トレイ１３１，１３２，１３３，１３４（１４０）が自重で抜け落ちないようにトレイを本体に連結している装置が存在する。これは、図１４に示すように、給紙トレイ１４０の引っ掛け部１５６と給紙装置１３０の本体に設けられた爪部１３５によって給紙トレイ１４０と給紙装置１３０とを連結する手段（図示していない）を備えている。このような構成において、給紙トレイ１４０のハンドル部１５８と引っ掛け部１５６は同期して動く構造となっており、それぞれが破線で示した位置に位置すると、引っ掛け部１５６は爪部１３５に係止されるため、給紙トレイ１４０を引き抜くことができない状態となる。この例では給紙トレイのハンドル部１５８を矢印Ｄ方向に引くことにより引っ掛け部１５６が方向に動き、爪部１３５から離脱し、給紙トレイ１４０の引き出しを可能としている。
【００４０】
図１５は給紙トレイの抜け落ちを防止する画像形成装置の例の詳細を示す図、図１６はトレイロック機構の概略図、図１７は給紙トレイロック機構の詳細図である。本例では、引っ掛け部１５６には開口部１５７を開設し、引っ掛け部１５６が破線の位置に回動するときこの開口部１５７に爪部１３５が係止する構造となっている。そして、前述のトレイロックキー１６１が前記引っ掛け部１５６を押えることによって給紙トレイの１５５を拘束するものである。これによりトレイロックキー１６１は前述した構成により、記録紙の搬送に同期して矢印Ｃ方向に回動し、トレイロックキー１６１が引っ掛け部１５６の矢印Ｃ方向の移動を制止する位置にある。よって、上記実施の形態と同様に使用者が給紙トレイのハンドル部１５８を引こうとしても引っ掛け部１５６が制止しされているため、給紙トレイ１４０を引き抜くことはできなくなる。
【００４１】
以上説明したように、上記各例によれば、画像形成装置が給紙容器から本体へと至る記録紙搬送路中に存在する記録紙の検出手段が記録紙を検出した場合は、前記給紙容器の引出しを制止するように制御する手段を設けているので、記録紙搬送中に使用者が誤って給紙トレイを引き出すことを制止し、給紙トレイと画像形成装置本体の間で記録紙が損傷したり、記録用紙が外れたりすることを防ぐことができる。
【００４２】
また、これらの給紙装置及び画像記録装置は電気的な手段を使用しないことから、安価で小型の給紙装置及び画像記録装置を提供することができる。
【００４３】
さらに、本例に係る給紙装置及び画像記録装置は、ジャム検知フィラー及びトレイロックキーの配置位置を変更して採用することができるので装置のレイアウト上の自由度を大きいものとすることができる。
【００４４】
また、ジャムセンサを設けたものにあっては、記録紙検出手段と、前記ジャムセンサを記録紙中心位置に対称に位置しているので、記録紙の斜行を防ぐことができる。
【図面の簡単な説明】
【００４５】
【図１】本発明の実施の形態に係る画像形成装置の全体を示す図である。
【図２】本発明の実施の形態に係る給紙装置の全体を示す図である。
【図３】ジャム検知フィラーの動作を示す図である。
【図４】ジャム検知フィラーと給紙トレイロック機構の動作を示す図である。
【図５】給紙トレイロック機構のキー部を示す図である。
【図６】給紙トレイロック機構のキー部を示す図５中Ｄ−Ｄ線に相当する断面図である。
【図７】ジャム検知フィラーの位置を示す図である。
【図８】光学的ジャムセンサを備えた実施の形態例を示す図である。
【図９】実施の形態に係るジャム検知フィラーの配置位置を示すである。
【図１０】ジャム検知フィラーとトレイロックキーが着脱可能である実施の形態例を示す図である。
【図１１】給紙トレイのロック・フリー状態の表示状態を示す図である。
【図１２】給紙トレイのロック・フリー状態の表示状態を示す図である。
【図１３】給紙トレイのロック・フリー状態の表示状態を示す図である。
【図１４】給紙トレイの抜け落ちを防止する画像形成装置の例を示す図である。
【図１５】給紙トレイの抜け落ちを防止する画像形成装置の例を示す図である。
【図１６】給紙トレイロック機構の概略図である。
【図１７】給紙トレイロック機構の詳細図である。
【図１８】従来の画像形成装置の概略図である。
【図１９】従来の画像形成装置における紙詰まり処理の説明のための図である。
【図２０】従来の画像形成装置における紙詰まり処理の説明のための図である。
【図２１】従来の画像形成装置における紙詰まり処理の説明のための図である。
【符号の説明】
【００４６】
１００ 画像形成装置
１１０ 給紙装置
１２０ 画像形成装置本体
１２１ 画像作像部
１２２ 感光体ドラム
１３０ 給紙装置
１３１，１３２，１３３，１３４      給紙トレイ
１３５ 爪部
１４０ 給紙トレイ
１４１ レジストローラ
１４２，１４３ 給紙コロ
１４４，１４５ 上下ガイド板
１４６，１４７ 搬送ローラ
１４７ 搬送ローラ
１４９ ジャム検知フィラー
１５０ 本体側面カバー
１５１ 軸
１５２ 回転軸
１５３，１５４ 回転軸
１５５ 表示窓
１５６ 引っ掛け部
１５７ 開口部
１５８ ハンドル部
１６０ トレイロック機構
１６１ トレイロックキー
１７０ 溝部
１７１ ロック部材
１７２ 反射型センサ
１７５ 平行ピン
１８０ スイッチ
１８９ 警告画面
２００ 画像形成装置
２０１，２０２ 上側給紙トレイ
２０１ 上側給紙トレイ
２０１，２０２，２０３，２０４      給紙トレイ
２０２ 前カバー
２０３，２０４ 下側給紙トレイ
２１０ 給紙装置
２１１，２１２ 上側給紙トレイ
２１２ 前カバー
２５０ 後処理装置
Ｐ     記録紙
【図１】
2005178942.tif 000003
【図２】
2005178942.tif 000004
【図３】
2005178942.tif 000005
【図４】
2005178942.tif 000006
【図５】
2005178942.tif 000007
【図６】
2005178942.tif 000008
【図７】
2005178942.tif 000009
【図８】
2005178942.tif 000010
【図９】
2005178942.tif 000011
【図１０】
2005178942.tif 000012
【図１１】
2005178942.tif 000013
【図１２】
2005178942.tif 000014
【図１３】
2005178942.tif 000015
【図１４】
2005178942.tif 000016
【図１５】
2005178942.tif 000017
【図１６】
2005178942.tif 000018
【図１７】
2005178942.tif 000019
【図１８】
2005178942.tif 000020
【図１９】
2005178942.tif 000021
【図２０】
2005178942.tif 000022
【図２１】
2005178942.tif 000023